【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
グロメット・ホールを有する作業台に装着するための電気的装置において、前記電気的装置は、
複数の開口を有する上面および挿入部分を含むグロメット、および、
前記グロメットに結合可能な接続メカニズム、
を含むケースと、
前記ケース内の少なくとも一部に位置する１又はそれ以上の電気コンポーネントと、
前記ケース内の少なくとも一部に位置し、かつ、前記１又はそれ以上の電気コンポーネントに結合された１又はそれ以上の電気コネクタと、
から構成され、
前記グロメットの前記挿入部分は、前記グロメット・ホールの第１面から前記グロメット・ホール内に設置することができ、
前記グロメットの前記上面が前記グロメット・ホールの前記第１面にあり、かつ、前記挿入部分が前記グロメット・ホール内にあるとき、前記グロメットは、前記グロメット・ホールの前記第１面とは反対側の第２面において、前記接続メカニズムと係合する方向に回転させて結合することができる、
ことを特徴とする電気的装置。
【請求項２】
ホールを含む表面を有する机に装着するための結合システムにおいて、前記結合システムは、
前記ホールより下に全体が位置するように形成され、かつ、内部領域を有するフランジを含む接続メカニズムと、
前記ホール内へ挿入し、かつ、前記フランジの前記内部領域に回転式に装着することができる接続ハブであって、前記接続ハブの少なくとも一部は前記ホールより上に位置し、かつ、
複数の開口を備えた表面を有する上部領域、
前記上部領域の反対側にある底部領域、
前記上部領域に位置する第１接続ポート、および
前記底部領域に位置する第２接続ポート、
を含む接続ハブと、
から構成され、
前記結合システムは、異なる厚さを有する机に使用することができる、
ことを特徴とする結合システム。
【請求項３】
グロメット・ホールを有する作業台に装着するための電気的装置において、前記電気的装置は、
複数の開口を有する上面および挿入部分を含むグロメット、および、
フランジおよび本体部分を含む接続メカニズムであって、前記接続メカニズムは前記グロメットに結合可能に形成された、接続メカニズム、
を含むケースと、
前記ケース内の少なくとも一部に位置する１又はそれ以上の電気コンポーネントと、
前記ケース内の少なくとも一部に位置し、かつ、前記１又はそれ以上の電気コンポーネントに結合された１又はそれ以上の電気コネクタと、
から構成され、
前記作業台は底面を含み、
前記グロメット・ホールは、第１面、および前記第１面の反対側の前記底面に前記第２面を含み、
前記グロメットの前記挿入部分は、前記グロメット・ホールの第１面から前記グロメット・ホール内に設置することができ、
前記グロメットの前記上面が前記グロメット・ホールの前記第１面にあり、かつ、前記挿入部分が前記グロメット・ホール内にあるとき、前記グロメットは、前記グロメット・ホールの前記第１面とは反対側の第２面において、前記接続メカニズムと係合する方向に回転させて結合することができ、その結果、前記フランジの少なくとも一部が前記底面に接触する、
ことを特徴とする電気的装置。
【請求項４】
机に設けられたホールに取り付け、かつ、コンピュータを周辺装置に接続するための結合システムにおいて、前記結合システムは、
グロメットであって、
挿入部分上端、挿入部分下端、前記挿入部分上端から前記挿入部分下端へ拡張する外部表面、および、前記外部表面上の少なくとも１つの雄ねじ、を有する挿入部分、
前記挿入部分上端の前記挿入部分内に位置する複数の上部ポートであって、前記複数の上部ポートは、複数のユニバーサル・シリアル・バス・ポートである、複数の上部ポート、ならびに、
前記挿入部分上端から外側に拡張する上部フランジ、
を有するグロメットと、
接続メカニズムであって、
中空胴体部分上端、中空胴体部分下端、前記中空胴体部分上端から前記中空胴体部分下端へ拡張する内部表面、および、前記挿入部分の前記外部表面上の前記雄ねじに回転して係合するように形成された前記内部表面上の少なくとも1つの雌ねじ、を有する中空胴体部分、ならびに、
前記中空胴体部分上端から外側に拡張する下部フランジ、
を含む接続メカニズムと、
から構成され、
前記挿入部分が前記机に設けられた前記ホール内に挿入されたとき、前記上部フランジは前記グロメットを支持するために前記机の上部表面に接触し、かつ、前記接続メカニズムが前記机の表面の下から前記挿入部分に回転して係合したとき、前記下部フランジは、前記上部フランジとは反対側の前記机の底部表面に接触することにより、前記ホール内の電気的装置を支持する、
ことを特徴とする結合システム。
【請求項５】
多様な机の表面に装着するための結合システムにおいて、前記多様な机の表面のそれぞれは、その中にホールを含み、また、前記多様な机の表面のそれぞれは、少なくとも１つの他の机の表面とは異なる厚さ又は前記ホールの断面領域を少なくとも有し、前記結合システムは、
接続ハブであって、
複数の開口を有する上部領域、前記上面領域の反対側の底部領域、前記上部領域に位置する第１接続ポート、および、前記底部領域に位置する第２接続ポートを有し、
前記接続ハブは、前記ホール内に挿入できるように形成され、
前記接続ハブの少なくとも一部は、前記ホールよりも上に位置する、
接続ハブと、
前記多様な机の表面のいずれかに前記接続ハブを固定するための手段であって、
前記手段は接続メカニズムを含み、前記接続メカニズムは内部領域を有するフランジを含み、
前記内部領域は、前記接続ハブに係合するように形成され、その結果、前記フランジおよび前記接続ハブは、前記多様な机の両面にそれぞれ押し付けられ、
前記接続メカニズムは、全体が前記ホールの下に位置するように形成される、
接続ハブを固定するための手段と、
から構成されることを特徴とする結合システム。
【請求項６】
前記グロメットは、前記グロメット・ホールの前記第１面にあり、前記挿入部分は、前記グロメット・ホール内にあり、前記グロメットは、前記グロメット・ホールの前記第２面で前記接続メカニズムに結合され、前記１又はそれ以上の電気コネクタのうちの少なくとも第１電気コネクタは、前記グロメット・ホールの前記第１面で前記複数の開口を通じて利用できることを特徴とする請求項１又は３記載の電気的装置。
【請求項７】
前記複数の開口は、第１の複数の開口を含み、
前記グロメットは、第２の複数の開口を含み、
前記１又はそれ以上の電気コネクタのうちの少なくとも第２電気コネクタは、前記グロメット・ホールの前記第２面で前記第２の複数の開口を通じて利用できることを特徴とする請求項６記載の電気的装置。
【請求項８】
前記１又はそれ以上の電気コネクタは、ユニバーサル・シリアル・バス・コネクタであることを特徴とする請求項１，３，６又は７記載の電気的装置。
【請求項９】
前記グロメットは、前記グロメットを通って延伸する少なくとも１つの管路を含み、前記少なくとも１つの管路は、前記グロメットが前記グロメット・ホール内に設置されたとき、少なくとも１つのケーブルが前記グロメット、前記グロメット・ホール、および前記作業台を通過できるように形成されることを特徴とする請求項１，３，６，７又は８記載の電気的装置。
【請求項１０】
前記少なくとも１つの管路は、２つの管路を含み、
前記２つの管路は、それぞれが前記グロメットの両側を通って延伸する、
ことを特徴とする請求項９記載の電気的装置。
【請求項１１】
前記少なくとも１つの管路は、２つの管路を含み、
前記複数の開口は、前記２つの管路の間に位置することを特徴とする請求項９又は１０記載の電気的装置。
【請求項１２】
前記グロメットは、部分的なねじ山を含み、
前記接続メカニズムは、完全なねじ山を含み、
前記完全なねじ山は、単一のねじ山である、
ことを特徴とする請求項１，３，４，６，７又は８記載の電気的装置。
【請求項１３】
前記挿入部分を通る電気ケーブルの通過を容易にするために、前記挿入部分を通る導管を提供する２つの向き合った開口をさらに含むことを特徴とする請求項４記載の結合システム。
【請求項１４】
複数の底部のポートの少なくとも１つのポートは、ユニバーサル・シリアル・バス・ポートであることを特徴とする請求項４又は１３記載の結合システム。
【請求項１５】
前記第１接続ポートおよび前記第２接続ポートの少なくとも１つは、ユニバーサル・シリアル・バス・ポートであることを特徴とする請求項２又は５記載の結合システム。
【請求項１６】
前記底部領域に位置する電源ポートをさらに含むことを特徴とする請求項２，５又は１５記載の結合システム。
【請求項１７】
前記接続ハブは、部分的なねじ山を含み、
前記接続メカニズムは、完全なねじ山を含むことを特徴とする請求項２，５，１５又は１６記載の結合システム。
【請求項１８】
前記完全なねじ山は、単一のねじ山であることを特徴とする請求項１７記載の結合システム。
【請求項１９】
前記接続メカニズムは、前記接続メカニズムが充分に固定されるように反発力によって保持するためのばねを含むことを特徴とする請求項２，４，５，１３，１４，１５，１６，１７又は１８記載の結合システム。
【請求項２０】
前記接続ハブは、前記接続ハブを通る電気ケーブルの通過を容易にするための少なくとも１つの開口を含むことを特徴とする請求項２又は５記載の結合システム。
【請求項２１】
前記少なくとも１つの開口は、２つの開口を含むことを特徴とする請求項２０記載の結合システム。
【請求項２２】
前記開口は、前記接続ハブの両側に位置し、
前記第１接続ポートおよび前記第２接続ポートは、前記２つの開口の間に位置することを特徴とする請求項２１記載の結合システム。